(57)【特許請求の範囲】
【請求項１】
エアーにてもみ動作や圧迫動作を行うためのエアーマッサージ機において、被施療者が着座するための座部と被施療者が背もたれするための背部とを設け、背部に被施療者が背もたれした状態で被施療者の首もしくは肩が接する部分にエアー袋を少なくとも２個左右に配設し、左右のエアー袋の取り付け面をエアー袋が膨出した状態で側面視で斜め前下方を向くように傾斜させ、左右のエアー袋の取り付け面をそれぞれエアー袋が膨張時に平面視で斜め前内側方向を向くように突出するように傾斜させ、エアー袋に蛇腹状部を設けると共に膨張によって取り付け面に対して斜め前内側に突出させるエアーマッサージ機であって、前記エアー袋は、複数の環状をした山部同士を谷底部部分で一体に連設して、最も径が小さい最内周の山部と最も径の大きい最外周の山部との間に径の異なる山部をその各環状の山部の中心が最も小さい山部の中心から径が最も大きい山部の中心とを結ぶ一直線上に互いにずれて位置するように順次配設して成ることを特徴とするエアーマッサージ機。
【発明の詳細な説明】
【０００１】
【発明の属する技術分野】
本発明は、被施療者である人体に対してエアーにてもみ動作や圧迫動作を行うためのエアーマッサージ機に関するものである。
【０００２】
【従来の技術】
従来からエアーにてもみ動作や圧迫動作を行うエアーマッサージ機が知られている。従来のエアーマッサージ機においては、エアー袋を背部に取り付け、この背部に取付けたエアー袋を膨張させて首部分のエアーマッサージを行っているが、従来は、エアー袋を前後に膨縮させて首部分のエアーマッサージを行っている。
【０００３】
このように従来にあっては、後から前への首だけのエアーマッサージ動作しかできず、肩までマッサージすることはできなかった。また、従来はエアー袋の後から前への動作で首を押すだけなので、首のマッサージも効果的におこなえなかった。
【０００４】
【発明が解決しようとする課題】
本発明は上記の点に鑑みてなされたものであり、首だけでなく肩も効果的にエアーマッサージできるエアーマッサージ機を提供することを課題とするものである。
【０００５】
【課題を解決するための手段】
上記課題を解決するために本発明に係るエアーマッサージ機は、被施療者が着座するための座部４と被施療者が背もたれするための背部５とを設け、背部５に被施療者が背もたれした状態で被施療者の首もしくは肩が接する部分にエアー袋２を少なくとも２個左右に配設し、左右のエアー袋２の取り付け面をエアー袋２が膨出した状態で側面視で斜め前下方を向くように傾斜させ、左右のエアー袋２の取り付け面をそれぞれエアー袋２が膨張時に平面視で斜め前内側方向を向くように突出するように傾斜させ、エアー袋２に蛇腹状部４５を設けると共に膨張によって取り付け面に対して斜め前内側に突出させるエアーマッサージ機であって、前記エアー袋２は、複数の環状をした山部４５ａ同士を谷底部４５ｂ部分で一体に連設して、最も径が小さい最内周の山部４５ａ１と最も径の大きい最外周の山部４５ａＮとの間に径の異なる山部４５ａ２、４５ａ３をその各環状の山部４５ａの中心Ｏ１、Ｏ２、Ｏ３、ＯＮが最も小さい山部４５ａ１の中心Ｏ１から径が最も大きい山部４５ａＮの中心ＯＮとを結ぶ一直線上に互いにずれて位置するように順次配設して成ることを特徴とするものである。
このような構成とすることで、左右のエアー袋２を膨張させることで、斜め上方から首及び肩を左右から挟むようにしてエアーマッサージができるものである。またこの時、エアー袋２自体でもその膨張によって取り付け面に対して斜め前内側に突出させることで首・肩を斜め内側前下方から挟むため、取り付け面の傾斜角度をあまり大きく取らなくても効果的に左右一対のエアー袋２で首・肩を挟むような動作ができるものである。
【０００６】
【発明の実施の形態】
以下、本発明を添付図面に示す実施形態に基づいて説明する。
【０００７】
エアーマッサージ機１は被施療者が座るための座部４と被施療者が背をもたれるための背部５とを有している座椅子タイプのものである。図１にはエアーマッサージ機１の全体を示す斜視図が示してあり、図２には分解斜視図が示してあり、図３には正面図が示してあり、図４には側面図が示してあり、図５には下面図が示してある。
【０００８】
図２に示すように、座部４は台座８と、台座８に支持される座フレーム９と、座フレーム９に載設して取付けられる座体６と、座体６に被覆される座カバー７とにより構成してある。台座８には軸孔８ａが設けてあり、この軸孔８ａに取付け板５２の下面部に垂設した軸１０が回転自在に嵌め込み支持してあり、取付け板５２は座フレーム９の下面部に固着具により固着してある。座体６には両端部に肘掛け部１１を一体に形成してあり、本実施形態では両側に肘掛け部１１を有する座体６をウレタンのような発泡合成樹脂による一体成形により形成してあり、座体６の一部又は全部を柔らかくしてクッション性を良くし且つ肘掛け部１１を硬く形成して別途芯材がなくても安定した肘掛けができるようにしてある。座体６の成形時に座体６を形成する部分の一部又は全部と肘掛け部１１を形成する部分とにおけるウレタンの充填量を調整することで上記のように一部を柔らかく、他の一部を硬くという成形ができる。図２、図７に示す実施形態においては、座体６の後部の臀部が当接する部分のみ柔らかくしてクッション性を良くし、座体６の前部は肘掛け部１１と同じ硬さとしてあって、座体６の保形性を向上させているが、座体６全体が柔らかくてクッション性を向上させたものでもよい。
【０００９】
図４、図７に示すように、座体６の上面部は前部が高く後部が低くなっていて座体６に座った際に臀部が後部の低い部分に位置して前にずれないように安定してすわることができるようになっている。そして、座体６の前部の後部に比べて高くなった部分を有効利用してエアー制御部１３を収納配置してあり、添付図面に示す実施形態においては座体６の前部の高い部分の下面部には収納凹所１２が設けてあり、収納凹所１２内にエアー制御部１３が配設してある。エアー制御部１３は図６に示すようにボックス１４内にエアーポンプ１５、エアーバルブ１６、制御回路１７等のエアー制御に関連する部品を収納し、ボックス１４の開口を蓋１８で閉じて構成してあり、ボックス１４に設けた取付け片１４ａを座フレーム９にねじのような固着具により取付けたもので、この座フレーム９に取付けたエアー制御部１３を上記のように座フレーム９上に載設して取付ける座体６の前部の収納凹所１２内に収納するようになっている。このようにウレタンのような発泡合成樹脂製の座体６内にエアー制御部１３を収納することで、エアー制御部１３で発生する音や振動を発泡合成樹脂製の座体６で吸収して不快感なくエアーマッサージが行えるようになっている。
【００１０】
図２、図８乃至図１０に示すように、背部５は背フレーム１９と、背フレーム１９に取付ける背体２０と、背体２０に取付けるヘッドレスト２１と、背体２０やヘッドレスト２１に取付けるエアー袋２やエアー袋２ａと、背体２０を覆う背カバー２２とで構成してある。
【００１１】
背フレーム１９は図２に示すように、下部に設けた突片２３の孔２３ａと座フレーム９の後部に上方に向けて突設した突部２４に設けた孔２４ａとを軸２５により回動自在に軸支してあり、更に、ガススプリング２６のシリンダー筒の後端を背フレーム１９の下端に軸４９により軸支することで取付けてあり、ガススプリング２６のロッドの先端を座フレーム９の前部下方に垂設した下向き突片２８に軸により軸支してある。ガススプリング２６は座フレーム９に取付けたレバー２７を操作することでガススプリング２６に内蔵するバルブを開閉するようになっており、レバー２７を操作して背フレーム１９（背部５）を座フレーム９（座部４）に対して回動して背フレーム１９（背部５）の倒れ角度を自在に調整できるようになっており、背フレーム１９（背部５）をほぼ水平状態まで倒すことができるようになっている。
【００１２】
背体２０は合成樹脂の一体成形により形成した成形品により形成してあって背フレーム１９の前部にねじのような固着具により取付けてある。背体２０の上部に係合部３０となる凹部が上下方向に連続して複数設けてあり、係合部３０の中央部に上下方向に長い中央の縦長孔３１を設けると共に係合部３０の両側に上下方向に長い側部の縦長孔３２を設けてある。
【００１３】
背体２０の前面部の中央部には指挟み防止板５０がクリップ６０により上下方向に移動自在に取付けてある。指挟み防止板５０の上半部の横方向の中央に上下に長い長孔５０ａが設けてあり、この長孔５０ａの下方の指挟み防止板５０の下半部は覆い部５０ｃとなっている。また、指挟み防止板５０の両側には上下に長いスライド長孔５０ｂが設けてある。背体２０の前面部に指挟み防止板５０を重ねた状態で両側のスライド長孔５０ｂから挿入したクリップ６０を背体２０の取付け孔６１に取付けることで、指挟み防止板５０を背体２０に対して上下方向にスライド自在に取付けてある。指挟み防止板５０の上半部の横方向の中央に設けた長孔５０ａは背体２０の中央の縦長孔３１に対向して連通している。また、指挟み防止板５０を上記のように取付けた状態で上下方向に連続する複数の係合部３０の巾方向の両側部は露出した状態となっている。
【００１４】
背体２０の前面部の上下方向の略中央部の両側と下部の両側とにはそれぞれ左右で一対となったエアー袋２がそれぞれ設けてあり、背体２０の略中央部の両側に設けた２個のエアー袋２が背中用のエアー袋２Ａとなり、背体２０の下部の両側に設けた２個のエアー袋２が腰用のエアー袋２Ｂとなっている。また、背体２０の前面部の巾方向の中心線に沿って下部から上下方向の略中央部にかけて背筋用の縦長のエアー袋２ａが取付けてある。
【００１５】
背中用のエアー袋２Ａ、腰用のエアー袋２Ｂ、背筋用のエアー袋２ａを背体２０の前面側に取付けた状態で、これらエアー袋２Ａ、２Ｂ、２ａを取付けた背体２０の前面部を背カバー２２により覆ってあり、該背カバー２２は背体２０に固着具により取付けてある。背カバー２２の上部には中央に設けた中央長孔３３ａと上部両側に設けた側長孔３３ｂとが設けてあり、更に背カバー２２には複数のホース通し孔３８が設けてあって、上記エアー袋２Ａ、２Ｂ、２ａに接続した各ホース３９をそれぞれホース通し孔３８を通して背体２０の背面側に導出している。
【００１６】
ヘッドレスト２１の前面部は側面視で図１１、図１６（ａ）に示すように、上ほど前となるように下向き傾斜し、且つ平面視で図１６（ｂ）に示すように中央にいくほど後方となるように内向きに傾斜している。このヘッドレスト２１の前面部である取付け面に左右で一対となったエアー袋２を取付けてあり、このヘッドレスト２１の前面部の取付け面に取付けたエアー袋２が首・肩用のエアー袋２Ｃとなっている。このように側面視で図１６（ａ）の角度α及び平面視で図１６（ｂ）の角度βとなるように傾斜したヘッドレスト２１の前面部の左右に一対の首・肩用のエアー袋２Ｃを設けることで、左右一対の首・肩用のエアー袋２Ｃに空気を供給して膨出させると、左右の首・肩用のエアー袋２Ｃは膨出した状態で側面視で斜め前下方を向くように傾斜して突出し且つ左右の首・肩用のエアー袋２Ｃが膨張時に平面視で斜め前内側方向を向くように傾斜して突出するものである。
【００１７】
したがって、左右の首・肩用のエアー袋２Ｃを膨張させることで、斜め上方から首だけでなく肩を押すような動作となり、しかもこの時同時に左右の首・肩用のエアー袋２Ｃが斜め内側方向に向けて左右から挟むような動作となり、首・肩の効果的なエアーマッサージができるようになっている。
【００１８】
ヘッドレスト２１の前面の中央部にはウレタンのような柔軟性を有する略Ｔ状部材３４が取付けてあってヘッドレスト２１の当たりを和らげるようになっていると共にエアー袋２Ｃの金具を表面側から覆って隠すようになっている。首・肩用のエアー袋２Ｃを取付けたヘッドレスト２１の前面にはヘッドレストカバー３５が被せられ、固着具によりヘッドレストカバー３５をヘッドレスト２１に固着してある。ヘッドレスト２１の後面部には両側にボス部３６を突設すると共に中央部に筒体３７が突設してあり、筒体３７の一端部はヘッドレスト２１の前面側に孔３７ａとして開口している。ヘッドレスト２１の後面部の両側のボス部３６よりもやや内側にはそれぞれ被係合部４４となる突部が設けてある。両側のボス部３６と両側の被係合部４４はほぼ横一直線上に配置してある。
【００１９】
ヘッドレスト２１の後面部両側に突設したボス部３６（実施例では断面十字状をしている）は背カバー２２の上部両側に設けた側長孔３３ｂ、背体２０の上部両側の縦長孔３２に上下移動自在に貫挿してある。ボス部３６の背体２０から突出した部分には図１１に示すように、環状をした前当たり板４１、コイルスプリング４２が被嵌してあり、更にボス部３６の先端面には後当たり板４３を当接してボス部３６の先端面にねじ具４０を螺合することで取付けてある。そして、後端が後当たり板４３に弾接したコイルスプリング４２の前端が前当たり板４１を弾接することで前当たり板４１が背体２０の縦長孔３２の両側縁の背面側に弾接している。この状態でヘッドレスト２１の背面部に設けた被係合部４４となる突部が背体２０の上部の前面部に上下方向に複数設けた係合部３０のうち上下方向の任意の位置の係合部３０に係合している。
【００２０】
そして、ヘッドレスト２１を上記コイルスプリング４２に抗して少し前方に引いた状態でヘッドレスト２１を上下方向に移動することができ、上下方向の任意の位置でヘッドレスト２１を手前に引いていた手を離すと、コイルスプリング４２のばね力で上記上下方向の任意の位置で被係合部４４が係合部３０に係合するものである。被係合部４４となる突部の先端部、係合部３０となる凹部の開口縁には図１１に示すように弧状に面取りされた弧状面取り部４８（いわゆるアール部）が設けてあり、上記のようにロック解除時にヘッドレスト２１を上記コイルスプリング４２に抗して少し前方に引いた状態でヘッドレスト２１を上下方向に移動する際弧状面取り部４８の滑りにより上下方向の移動が容易に行えるものである。このように、ヘッドレスト２１は上下にスライド自在で且つ上下方向の移動位置で固定することができるようになっている。これにより被施療者の体格によりヘッドレスト２１の上下位置を調整して被施療者に応じた最適の位置にすることができる。
【００２１】
ヘッドレスト２１に設けた首・肩用のエアー袋２Ｃに空気を供給して被施療者の首・肩を押し付けて施療している時は、押し付ける反力がヘッドレスト２１に加わり、被係合部４４が係合部３０にはまり込むことによる係合がよりしっかりとなり、上下に移動しないようなロック力が増す構造となっている。このようにロック時は上下に確実に移動しないようにできながら、前述のようにロック解除して上下移動するときは弧状面取り部４８を設けることで、ヘッドレスト２１の少しの引き込み力で上下移動ができ、確実なロックと容易な上下移動操作性が発揮できるものである。
【００２２】
また、左右両側の被係合部４４となる突部は横一直線上に並び更にコイルスプリング４２の取付け部分に近づけて配置してあるので、ロック解除時におけるコイルスプリング４２の撓みがそのまま被係合部４４と係合部３０とのはまり込み解除量となって誤差がなく、解除がしやすいものである。また、ヘッドレスト２１を上下に移動して再びロックする際にコイルスプリング４２の引き込み力にロスがなくてロックしやすいものとなる。
【００２３】
ヘッドレスト２１の後面部の中央に突設した筒体３７は背カバー２２の上部中央に設けた中央長孔３３ａ、指挟み防止板５０の長孔５０ａ、背体２０の上部中央の縦長孔３１に上下移動自在に挿入してあり、ヘッドレスト２１に設けた首・肩用のエアー袋２Ｃに一端部を接続したホース３９をヘッドレスト２１の前面側からこの筒体３７内を通して背体２０の背面側に導出している。このように筒体３７にホース３９を通すことで、ヘッドレスト２１を上下してもホース３９にストレスがかかったり、傷が付いたりせず、簡単な構造でホース３９を保護できるものである。
【００２４】
ここで、前述のようにしてヘッドレスト２１を上昇させると、背体２０の上部中央の縦長孔３１の下部がヘッドレスト２１の下端よりも下方に位置し、この部分に指を差し込んで挟むおそれがあるが、本発明においては、ヘッドレスト２１を上昇させると、ヘッドレスト２１に設けた筒体３７が指挟み防止板５０の長孔５０ａの上端縁に当たって指挟み防止板５０が上方にスライドし、指挟み防止板５０の下半部の覆い部５０ｃにより背体２０の上部中央の縦長孔３１の下部を覆って縦長孔３１の下部に指が差し込めないようになっている。一方、ヘッドレスト２１を下降させると、ヘッドレスト２１に設けた筒体３７が指挟み防止板５０の長孔５０ａ内を下降して長孔５０ａの下端縁に当たって、指挟み防止板５０を下降させて元の状態となる。ヘッドレスト２１が下降した状態ではヘッドレスト２１により縦長孔３１が覆われて指を差し込むことができないようになっている。
【００２５】
ヘッドレスト２１の後面部の左右両側に突設したボス部３６と中央部に突設した筒体３７とは背体２０の縦長孔３１、縦長孔３２、３２にスライド自在に挿入して取付けてあるが、ボス部３６と筒体３７との上下方向の位置をずらしてあるので、ヘッドレスト２１の傾き量を簡単な構成で抑えることができ、また、ヘッドレスト２１への衝撃力、偏荷重が加わってもヘッドレスト２１から３箇所の縦長孔３１、縦長孔３２、３２部分に力が分散されて剛性の高いものとなる。
【００２６】
上記エアー袋２Ａ、２Ｂ、２Ｃ、２ａ、に接続した各ホース３９はそれぞれ前述のようにホース通し孔３８や筒体３７を通して背体２０の背面側に導出し、背体２０の背面側から座体６の背面側を通り、座体６の前部に収納したエアー制御部１３に接続される。
【００２７】
エアー袋２Ａ、２Ｂ、２Ｃ、２ａはそれぞれエアー制御部１３から空気を供給されることで膨張したり、空気を排気することで収縮することで、被施療者をエアーマッサージするようになっている。本実施形態においてエアー袋２Ａ、２Ｂ、２Ｃ、２ａは外力を加えない自由状態では収縮した状態に自己保形するように構成してあり、この収縮した状態で空気を供給することで膨張し、空気を抜くとエアー袋２Ａ、２Ｂ、２Ｃ、２ａ自身の自己復帰力で収縮するものである。
【００２８】
エアー袋２Ａ、２Ｂ、２Ｃは図１２に示すように、被施療者に向かって突出したり被施療者から離れる方向に縮んだりする蛇腹状部４５を有しており、添付図面に示す実施形態においては、外力を加えない自由状態において扁平な袋状をしたエアー袋２の前面部が蛇腹状部４５となっており、蛇腹状部４５は扁平な袋状をしたエアー袋２内にエアーを供給することで扁平な袋状をしたエアー袋２の前面部の蛇腹状部４５を斜め前方に向けて膨張させて突出させるようになっている。
【００２９】
蛇腹状部４５は環状をした断面略Ｕ状又は断面略Ｖ状又は断面略台形状をした隣接する山部４５ａ同士を谷底部４５ｂ部分で一体に連設したものであり、複数の環状をした山部４５ａは最も径が小さい山部４５ａ１が最内周に位置し、最も径の大きい山部４５ａＮが最外周に位置し、最内周に位置する最も径の小さい山部４５ａ１と最外周に位置する最も径の大きい山部４５ａＮとの間に、山部４５ａ１よりも径が大きく且つ山部４５ａＮよりは径が小さい複数の径の異なる山部４５ａ２、山部４５ａ３………を径の小さい方から径の大きい方にかけて順次配設してある。しかも、この複数の径の異なる環状の山部４５ａ１、山部４５ａ２、山部４５ａ３………山部４５ａＮは各環状の山部４５ａの中心Ｏ１、Ｏ２、Ｏ３……ＯＮが図１２（ａ）に示すように正面視で径が最も小さい山部４５ａ１の中心Ｏ１から径が最も大きい山部４５ａＮの中心ＯＮとを結ぶ一直線上に互いにずれて位置するようになっている。このため、径がそれぞれ異なる複数の山部４５ａ１、山部４５ａ２、山部４５ａ３………山部４５ａＮはそれぞれ正面視で一側（図１２においては左側）が山部４５ａの巾が狭く且つ他側（図１２においては右側）が山部４５ａの巾が広くなっている。したがってエアー袋２内にエアーを供給すると図１２（ｂ）の矢印のように蛇腹状部４５が斜め前方に向けて膨張するものである。上記のような蛇腹状部４５の膨出した際の突出先端部となる部分、つまり、最小径の環状の山部４５ａ１に囲まれた部分には施療子３が設けてある。
【００３０】
そして、左右２個で一対となった各エアー袋２Ａ、２Ｂ、２Ｃは図３、図８に示すように、それぞれ対のエアー袋２の正面視で径が最も小さい山部４５ａ１の中心Ｏ１同士が近づくように配置してあり（つまり、対のエアー袋２の正面視で径が最も小さい山部４５ａ１の中心Ｏ１同士がいずれも背部５の左右方向の中央側寄りにずれるように配置してあり）、したがって左右一対のエアー袋２を膨張させるといずれも斜め内側前方に向けて突出し、左右一対のエアー袋２Ａ、２Ｂ、２Ｃにより背部５にもたれた被施療者の首・肩、背中、腰をそれぞれ左右両側から挟むようにしてもみ動作や圧迫動作を行うことになる。ここで、ヘッドレスト２１に設けた左右一対の首・肩用のエアー袋２Ｃは上記のように膨張させるといずれも斜め内側前方に向けて膨出することに加え、更に膨張による突出方向が斜め前下方に向かうようになっており（つまり膨張により斜め内側前下方に向けて突出する）、左右一対の首・肩用のエアー袋２Ｃで首・肩を斜め内側前下方から挟むようにしてもみ動作や圧迫動作を行い、いっそう効果的に首・肩のエアーマッサージができるものである。
【００３１】
ここで、ヘッドレスト２１に設けた左右一対の首・肩用のエアー袋２Ｃを上記のように首・肩用のエアー袋２Ｃ自体でも左右一対の首・肩用のエアー袋２Ｃで首・肩を斜め内側前下方から挟むような構成とすることで、図１６（ｂ）の角度βをあまり大きく取らなくても効果的に左右一対の首・肩用のエアー袋２Ｃで首・肩を挟むような動作ができるものである。そして、ヘッドレスト２１に設けた左右一対の首・肩用のエアー袋２Ｃを膨張させるといずれも斜め内側前方に向けて膨出することに加え、更に膨張による突出方向が斜め前下方に向かうようになっており（つまり膨張により斜め内側前下方に向けて突出する）、左右一対の首・肩用のエアー袋２Ｃで首・肩を斜め内側前下方から挟むようにしてもみ動作や圧迫動作を行い、いっそう効果的に首・肩のエアーマッサージができるものである。
【００３２】
なお、図１３に示す実施形態においては、蛇腹状部４５の膨出した際の突出先端部となる部分をエアー袋２の他の部分よりも厚く形成してあって、この先端の肉厚部分を施療子３としてあり、蛇腹状をしたエアー袋２を膨張させて被施療者に向かって突出させてエアー袋２の突出先端の施療子３となる部分で被施療者の施療部位をもみ動作したり圧迫動作する際、エアー袋２の突出量を損なうことなく肉厚の厚い施療子３となる部分でしっかりとしたエアーマッサージ感覚を出すことができるようになっている。
【００３３】
また、図１４（ａ）に示す実施形態においては、蛇腹状部４５の膨出した際の突出先端部となる部分に設けられる施療子３が蛇腹状部４５を有するエアー袋２とは別部材の施療子３を蛇腹状部４５の突出先端部に接着剤で接着して取付けることで構成してある。このようにエアー袋２の被施療者に接する部分に蛇腹状をした部分と異なる部材よりなる施療子３を取付けることで、蛇腹状をしたエアー袋２を膨張させて被施療者に向かって突出させ、エアー袋２の施療子３となる部分で被施療者の施療部位をもみ動作したり圧迫動作する際、エアー独特のマッサージ感覚を持ちながら蛇腹状をした部分と異なる部材の施療子３で強くマッサージしたい被施療者も満足できるようなしっかりとしたマッサージ感覚を出すことができるものである。ここで、施療子３は図１４（ｂ）に示すように内部が中実のものであっても、あるいは内部が中空のものであってもよい。
【００３４】
また、図１５（ａ）に示す実施形態においては、蛇腹状部４５の膨出した際の突出先端部となる部分に別体の施療子３をインサート成形により取付けてある。つまり、蛇腹状部４５を成形する際に別体の施療子３をインサート成形により取付けるものであり、本実施形態においては、エアー袋２の主体を構成する蛇腹状の部分である蛇腹状部４５に蛇腹状をした部分とは異なる部材の施療子３をインサート成形により取付けて一体化でき、エアー独特のマッサージ感覚を持ちながら蛇腹状をした部分と異なる部材の施療子３で強くマッサージしたい被施療者も満足できるようなしっかりとしたマッサージ感覚を出すことができるものである。インサート成形する施療子３としては図１５（ｂ）に示すように内部が中空のものであっても、あるいは内部が中実のものであってもよい。
【００３５】
背体２０の前面部の巾方向の中心線に沿って下部から上下方向の略中央部にかけて取付けた背筋用の縦長のエアー袋２ａは図１７に示すように前面部の上下方向の一部に前方に突出した山形状の突出部４６を設けてある。すなわち、背筋用の縦長のエアー袋２ａを膨張すると縦長のエアー袋２ａにより被施療者の背筋に沿って圧迫してエアーマッサージをするのであるが、この時、山形状の突出部４６により背筋に沿った一部をポイント的に更に圧迫して効果的なマッサージができ、しかも、上記山形状の突出部４６は縦長のエアー袋２ａのエアーを排気してエアー袋２ａ自身の復帰力により収縮した際も、図１７（ｃ）のように収縮した山形状の突出部４６に背筋に沿った一部が当たり、効果的なマッサージができるものである。山形状の突出部４６は縦長のエアー袋２ａの上部、あるいは中間部、あるいは下部のどの位置に設けるかで背筋に沿った部分のどの箇所をポイント的に突出部４６でマッサージするかが決まる。つまり、縦長のエアー袋２ａの上部、あるいは中間部に突出部４６を設けた場合は背中をポイント的に突出部４６でマッサージするものであり、縦長のエアー袋２ａの下部に突出部４６を設けた場合は背筋の下端である腰中央をポイント的に突出部４６でマッサージするものである。
【００３６】
上記した実施形態においてはエアー袋２としてヘッドレスト２１に設ける以外に背中用のエアー袋２Ａ、腰用のエアー袋２Ｂ、背筋用のエアー袋２ａを設けた例を示したが、図１８に示すようにヘッドレスト２１にのみエアー袋２を設けたものであってもよいものである。
【００３７】
【発明の効果】
上記のように本発明にあっては、被施療者が着座するための座部と被施療者が背もたれするための背部とを設け、背部に被施療者が背もたれした状態で被施療者の首もしくは肩が接する部分にエアー袋を少なくとも２個左右に配設し、左右のエアー袋の取り付け面をエアー袋が膨出した状態で側面視で斜め前下方を向くように傾斜させ、左右のエアー袋の取り付け面をそれぞれエアー袋が膨張時に平面視で斜め前内側方向を向くように突出するように傾斜させ、エアー袋に蛇腹状部を設けると共に膨張によって取り付け面に対して斜め前内側に突出させ、前記エアー袋は、複数の環状をした山部同士を谷底部部分で一体に連設して、最も径が小さい最内周の山部と最も径の大きい最外周の山部との間に径の異なる山部をその各環状の山部の中心が最も小さい山部の中心から径が最も大きい山部の中心とを結ぶ一直線上に互いにずれて位置するように順次配設するので、左右のエアー袋を膨張させることで、斜め上方から首及び肩を左右から挟むようにしてエアーマッサージができて、簡単な構成で首だけでなく肩も効果的にエアーマッサージできるものである。またこの時、エアー袋自体でもその膨張によって取り付け面に対して斜め前内側に突出させることで首・肩を斜め内側前下方から挟むため、取り付け面の傾斜角度をあまり大きく取らなくても効果的に左右一対のエアー袋で首・肩を挟むような動作ができるものである。
【図面の簡単な説明】
【図１】本発明のマッサージ機の斜視図である。
【図２】同上の分解斜視図である。
【図３】同上の正面図である。
【図４】同上の側面図である。
【図５】同上の下面図である。
【図６】同上のエアー制御部の分解斜視図である。
【図７】同上の座体を示し、（ａ）は平面図であり、（ｂ）は側面図であり、（ｃ）は底面図であり、（ｄ）は正面図であり、（ｅ）は断面図である。
【図８】同上の背部の正面図である。
【図９】同上の背部の一部破断した側面図である。
【図１０】同上の背部の背面図である。
【図１１】同上のヘッドレストの背体への取付け部分の断面図である。
【図１２】同上のエアー袋を示し、（ａ）は正面図であり、（ｂ）は断面図である。
【図１３】同上のエアー袋の施療子部分の拡大断面図である。
【図１４】（ａ）は同上のエアー袋の施療子部分の他の実施形態の拡大断面図であり、（ｂ）は施療子の斜視図である。
【図１５】（ａ）は同上のエアー袋の施療子部分の更に他の実施形態の拡大断面図であり、（ｂ）は施療子の斜視図である。
【図１６】同上に用いる首・肩用のエアー袋により被施療者の首・肩をエアーマッサージする状態を示し、（ａ）は側面図であり、（ｂ）は平面図である。
【図１７】同上に用いる別のエアー袋を示し、（ａ）は正面図であり、（ｂ）は加圧前の側面図であり、（ｃ）は加圧前の断面図であり、（ｄ）は加圧状態の側面図である。
【図１８】本発明の他の実施形態の斜視図である。
【符号の説明】
２  エアー袋
４  座部
５  背部
【図１】
0003873650.tif 000002
【図２】
0003873650.tif 000003
【図３】
0003873650.tif 000004
【図４】
0003873650.tif 000005
【図５】
0003873650.tif 000006
【図６】
0003873650.tif 000007
【図７】
0003873650.tif 000008
【図８】
0003873650.tif 000009
【図９】
0003873650.tif 000010
【図１０】
0003873650.tif 000011
【図１１】
0003873650.tif 000012
【図１２】
0003873650.tif 000013
【図１３】
0003873650.tif 000014
【図１４】
0003873650.tif 000015
【図１５】
0003873650.tif 000016
【図１６】
0003873650.tif 000017
【図１７】
0003873650.tif 000018
【図１８】
0003873650.tif 000019